(57)【要約】      （修正有）【課題】くらげを破砕する破砕装置において、くらげの成分は９５〜９８％が水分であることから、その破砕処理において、固液分離した後の処理しやすい分離水量をできるだけ多くし、更に固形分を極力少なくして、埋め立て、又は焼却処理等のための運搬・処理費用等の経費削減できる装置の提供。【解決手段】前記くらげを貯留するホッパと、同ホッパの下端に配設されたくらげを粗砕する第１の破砕室と、該第１の破砕室の下方部に配設され前記粗砕されたくらげを更に細砕する第２の破砕室と、該第２の破砕室の下方部に配設され前記細砕されたくらげを更に圧砕する圧砕室とからなり、かつ前記ホッパと第１の破砕室と第２の破砕室と圧砕室とが連通状態に配設されている。【選択図】  図１
2007307524.tif 000002
【特許請求の範囲】
【請求項１】
くらげを破砕する破砕装置において、前記くらげを貯留するホッパと、同ホッパの下端に配設されたくらげを粗砕する第１の破砕室と、該第１の破砕室の下方部に配設され前記粗砕されたくらげを更に細砕する第２の破砕室と、該第２の破砕室の下方部に配設され前記細砕されたくらげを更に圧砕する圧砕室とからなり、かつ前記ホッパと第１の破砕室と第２の破砕室と圧砕室とが連通状態に配設されてなることを特徴とするくらげ破砕装置。
【請求項２】
前記第１及び第２の破砕室には破砕手段が内設され、同破砕手段が、流下するくらげに直交して配設され、駆動手段により駆動される回転軸に複数組の風車羽状の破砕刃が突設されてなるものであることを特徴とする請求項１に記載のくらげ破砕装置。
【請求項３】
前記第１の破砕室が、その下方部に破砕されたくらげの排出量を制御する排出量制御手段を備えてなることを特徴とする請求項１又は２に記載のくらげ破砕装置。
【請求項４】
前記圧砕室が、駆動手段によって回転し、前記第２の破砕室で細砕されたくらげを脱水すると同時に更に圧砕するための前記細砕され流下するくらげに直交する歯幅が長尺な平行軸歯車対が内設されてなるものであることを特徴とする請求項１〜３のいずれか１項に記載のくらげ破砕装置。
【請求項５】
前記圧砕室が、前記平行軸歯車対の軸間距離を制御できる軸間距離制御手段を備えてなることを特徴とする請求項１〜４のいずれか１項に記載のくらげ破砕装置。
【請求項６】
前記圧砕室が、前記平行軸歯車対の一方の歯車にくらげを切断する該歯車の全歯タケ長分以下に相当する長さが歯先円長分に加算された半径で突出した複数の環状仕切プレートを分割された前記歯車間に狭装し、他方の歯車に前記複数の環状仕切プレートの突出した先端部を狭入する複数の溝が凹設されてなることを特徴とする請求項１〜５のいずれか１項に記載のくらげ破砕装置。
【請求項７】
前記環状仕切プレートが、その環状の全円周上又は複数の切り込みで分割された円周上に鋭利な刃が形成されてなるものであることを特徴とする請求項６に記載のくらげ破砕装置。
【請求項８】
前記圧砕室が、その下方部に破砕されたくらげの排出量を制御する排出量制御手段を備えてなることを特徴とする請求項１〜７のいずれか１項に記載のくらげ破砕装置。
【請求項９】
前記第１の破砕室がくらげを２〜４ｃｍに粗く破砕し、次いで第２の破砕室がくらげを１〜２ｍｍに細く破砕し、圧砕室がくらげを更に脱水すると同時に圧砕するものであることを特徴とする請求項１〜８のいずれか１項に記載のくらげ破砕装置。
【請求項１０】
前記くらげ破砕装置が、前記圧砕室の下方部に、圧砕により得られるくらげの細片固形体を機外側方に配設された固形体収容手段まで搬送するベルトコンベアと、該ベルトコンベアと前記固形体収容手段間に前記固形体を圧搾するための弾性を有する１又は相対する２つのゴムローラと、前記圧砕室から流下した液状体を収容する液状体収容手段と、を備えてなることを特徴とする請求項１〜９のいずれか１項に記載のくらげ破砕処理装置。
【請求項１１】
前記ゴムローラが、その１又は相対する２つのゴムローラの回転速度を制御できるゴムローラ駆動手段と、ゴムローラの軸間距離を制御できる軸間距離制御手段と、を備えてなることを特徴とする請求項１０に記載のくらげ破砕処理装置。
【請求項１２】
前記ゴムローラの外周面に近接して、該ゴムローラに付着した前記固形体を剥離するスクレーパを配設してなることを特徴とする請求項１０又は１１に記載のくらげ破砕処理装置。
【請求項１３】
前記ベルトコンベアが、その網目状透過孔を有するステンレススチール製ベルトコンベアであることを特徴とする請求項１０〜１２のいずれか１項に記載のくらげ破砕処理装置。
【請求項１４】
前記ベルトコンベアが、大きさ２ｍｍ以上の前記細片固形体を不通過とする網目状透過孔を備えてなることを特徴とする請求項１３に記載のくらげ破砕処理装置。
【発明の詳細な説明】
【技術分野】
【０００１】
本発明は、くらげの破砕処理装置に係わり、特にくらげを細片固形体と液状体に分離するくらげ破砕装置及びくらげ破砕処理装置に関する。
【背景技術】
【０００２】
大量の冷却水を必要とする火力発電所、化学コンビナート、製鉄所等は海岸近くに建設され、海水を工業用冷却水として利用していることが多い。この海水を取水する際に取水口にはスクリーンを配設し浮遊性くらげが工業用冷却水に混入しないようにしているが、大量のくらげや、海水藻等が１日に数十トンもスクリーンに捕獲され、その捕獲物の環境汚染防止を含めた処理の迅速化と効率化が望まれている。
【０００３】
また近年、海温上昇に伴って巨大くらげが異常発生し、漁業者が定置網等を仕掛けても漁獲されるもののほとんどがくらげであったりして、高価な漁網を保護するためそのままくらげを海中へ放出することもあった。また、くらげの異常発生によりくらげ自身が消費する魚介類の量が莫大で、そのため漁業者は目的とする魚介類の漁獲量が激減しているので、くらげを捕獲しその捕獲物の環境汚染防止を含めた処理の迅速化と効率化が望まれている。
【０００４】
そこで特許文献１では、くらげ自体はその成分の９５〜９８％は水分であることから、貯留槽内に収容したくらげを水中カッターポンプ等の粗砕機で２〜４ｃｍ程度となるように粗砕し、次いでカッターポンプ等の細砕機によって０．５〜１．５ｃｍ程度に細砕する。この細砕物含有水に、泡沫固化剤を添加した後、泡沫分離槽で泡沫分と液状分に分離し、泡沫分に凝集剤を添加して脱水機で脱水し、脱水ケーキは埋め立て、焼却処分する。液状分に凝集剤を添加して凝集分離槽で固液分離し、分離水を濾過器及び活性炭塔で浄化し放流している。
【特許文献１】特許公開第２００３−３３７５５号公報
【発明の開示】
【発明が解決しようとする課題】
【０００５】
しかし、先に述べたように、くらげの成分は９５〜９８％が水分であることから、０．５〜１．５ｃｍ程度の寒天状に細砕しても細砕片にはほとんど水分が含有されたままの状態であるため大型の遠心脱水機などで更に脱水する工程を要していた。
【０００６】
このため、くらげを更に細砕でき、また一体化され小型化したくらげ破砕処理装置と、固液分離した後の処理しやすい分離水量をできるだけ多くし、更に固形分を極力少なくして、埋め立て、又は焼却処理等のための運搬・処理費用等の経費削減できる装置の実現が切望されている。
【課題を解決するための手段】
【０００７】
本願発明者は、上記に鑑み鋭意研究の結果、２段階の破砕室及び一つの圧砕室によって固液分離した後の処理しやすい分離水量をできるだけ多くし、更に、固形分を極力少なくするため、次の手段によりこの課題を解決した。
（１）くらげを破砕する破砕装置において、前記くらげを貯留するホッパと、同ホッパの下端に配設されたくらげを粗砕する第１の破砕室と、該第１の破砕室の下方部に配設されたくらげを更に細砕する第２の破砕室と、該第２の破砕室の下方部に配設されたくらげを更に圧砕する圧砕室とからなり、かつ前記ホッパと第１の破砕室と第２の破砕室と圧砕室とが連通状態に配設されてなることを特徴とするくらげ破砕装置。
【０００８】
（２）前記第１及び第２の破砕室には破砕手段が内設され、同破砕手段が、流下するくらげに直交して配設され、駆動手段により駆動される回転軸に複数組の風車羽状の破砕刃が突設されてなるものであることを特徴とする前項（１）に記載のくらげ破砕装置。
【０００９】
（３）前記第１の破砕室が、その下方部に破砕されたくらげの排出量を制御する排出量制御手段を備えてなることを特徴とする前項（１）又は（２）に記載のくらげ破砕装置。
【００１０】
（４）前記圧砕室が、駆動手段によって回転し、前記第２の破砕室で細砕されたくらげを脱水すると同時に更に圧砕するための前記細砕され流下するくらげに直交する歯幅が長尺な平行軸歯車対が内設されてなるものであることを特徴とする前項（１）〜（３）のいずれか１項に記載のくらげ破砕装置。
【００１１】
（５）前記圧砕室が、前記平行軸歯車対の軸間距離を制御できる軸間距離制御手段を備えてなることを特徴とする前項（１）〜（４）のいずれか１項に記載のくらげ破砕装置。
【００１２】
（６）前記圧砕室が、前記平行軸歯車対の一方の歯車にくらげを切断する該歯車の全歯タケ長分以下に相当する長さが歯先円長分に加算された半径で突出した複数の環状仕切プレートを分割された歯車間に狭装し、他方の歯車に前記複数の環状仕切プレートの突出した先端部を狭入する複数の溝が凹設されてなることを特徴とする前項（１）〜（５）いずれか１項に記載のくらげ破砕装置。
【００１３】
（７）前記環状仕切プレートが、その環状の全円周上又は複数の切り込みで分割された円周上に鋭利な刃が形成されてなるものであることを特徴とする前項（６）に記載のくらげ破砕装置。
【００１４】
（８）前記圧砕室が、その下方部に破砕されたくらげの排出量を制御する排出量制御手段を備えてなることを特徴とする前項（１）〜（７）のいずれか１項に記載のくらげ破砕装置。
【００１５】
（９）前記第１の破砕室がくらげを２〜４ｃｍに粗く破砕し、次いで第２の破砕室がくらげを１〜２ｍｍに細く破砕し、圧砕室がくらげを更に脱水すると同時に圧砕するものであることを特徴とする前項（１）〜（８）のいずれか１項に記載のくらげ破砕処理装置。
【００１６】
（１０）前記くらげ破砕装置が、前記圧砕室の下方部に、圧砕により得られるくらげの細片固形体を機外側方に配設された固形体収容手段まで搬送するベルトコンベアと、該ベルトコンベアと前記固形体収容手段間に前記固形体を圧搾するための弾性を有する１又は相対する２つのゴムローラと、前記圧砕室から流下した液状体を収容する液状体収容手段と、を備えてなることを特徴とする前項（１）〜（９）のいずれか１項に記載のくらげ破砕処理装置。
【００１７】
（１１）前記ゴムローラが、その１又は相対する２つのゴムローラの回転速度を制御できるゴムローラ駆動手段と、ゴムローラの軸間距離を制御できる軸間距離制御手段と、を備えてなることを特徴とする前項（１０）に記載のくらげ破砕処理装置。
【００１８】
（１２）前記ゴムローラの外周面に近接して、該ゴムローラに付着した前記固形体を剥離するスクレーパを配設してなることを特徴とする前項（１０）又は（１１）に記載のくらげ破砕処理装置。
【００１９】
（１３）前記ベルトコンベアが、その網目状透過孔を有するステンレススチール製ベルトコンベアであることを特徴とする前項（１０）〜（１２）のいずれか１項に記載のくらげ破砕処理装置。
【００２０】
（１４）前記ベルトコンベアが、大きさ２ｍｍ以上の前記細片固形体を不通過とする網目状透過孔を備えてなることを特徴とする前項（１３）に記載のくらげ破砕処理装置。
【発明の効果】
【００２１】
本願発明によれば、次のような効果が発揮される。
１．本願発明の請求項１の発明によれば、
くらげを破砕する破砕装置において、前記くらげを貯留するホッパと、同ホッパの下端に配設されたくらげを粗砕する第１の破砕室と、該第１の破砕室の下方部に配設されたくらげを更に細砕する第２の破砕室と、該第２の破砕室の下方部に配設されたくらげを更に圧砕する圧砕室とからなり、かつ前記ホッパと第１の破砕室と第２の破砕室と圧砕室とが連通状態に配設されているので、９５〜９８％が水分であるくらげを３段階で破砕・圧砕処理することによって、組織が破れてそのほとんどを液状化することができ、また、破砕・圧砕処理後の固形体を従来より極めて少なくすることができる。
【００２２】
したがって、くらげ破砕装置の一体化と小型化ができ、かつ埋め立て、又は焼却処理等のための運搬・処理等の経費削減ができる。
【００２３】
２．本願発明の請求項２の発明によれば、
請求項１の効果に加えて、前記第１及び第２の破砕室には破砕手段が内設され、同破砕手段が、流下するくらげに直交して配設され、駆動手段により駆動される回転軸に複数組の風車羽状の破砕刃が突設されているので、上下２段で構成されたそれぞれの破砕室の複数組の破砕刃によって、第１の破砕室で粗砕し、第２の破砕室で細砕する処理を効率よく行うことができる。
【００２４】
３．本願発明の請求項３の発明によれば、
請求項１及び２の効果に加えて、前記第１の破砕室が、その下方部に破砕されたくらげの排出量を制御する排出量制御手段を備えているので、前記第１の破砕室の複数組の破砕刃の回転数の制御と、前記排出量制御手段の排出量制御によって、破砕すべきくらげの第１の破砕室中に滞留する量と破砕時間が制御できるため、その結果、所望の大きさに破砕処理でき、かつ効率的な破砕処理時間を容易に設定できる。
【００２５】
４．本願発明の請求項４の発明によれば、
請求項１〜３の効果に加えて、前記圧砕室が、駆動手段によって回転し、前記第２の破砕室で細砕されたくらげを脱水すると同時に更に圧砕するための前記細砕され流下するくらげに直交する歯幅が長尺な平行軸歯車対が内設されているので、前記第１及び第２の破砕室の複数組の破砕刃によって粗砕し、細砕されたくらげを、平行軸歯車対で脱水・圧砕することによって、圧砕された固形体から水分を圧搾すると同時に、更に細砕化することができる。
【００２６】
５．本願発明の請求項５の発明によれば、
請求項１〜４の効果に加えて、前記圧砕室が、前記平行軸歯車対の軸間距離を制御できる軸間距離制御手段を備えているので、前記第１及び第２の破砕室の複数組の破砕刃によって粗砕し、細砕した形状の状態によって、前記２つの歯車の軸間距離を調整し、前記圧砕室による圧砕度を制御することによって、前記第１及び第２の破砕室との効率よい破砕・圧砕処理運転を実現することができる。
【００２７】
６．本願発明の請求項６の発明によれば、
請求項１〜５の効果に加えて、前記圧砕室が、前記平行軸歯車対の一方の歯車にくらげを切断する該歯車の全歯タケ長分以下に相当する長さが歯先円長分に加算された半径で突出した複数の環状仕切プレートを分割された歯車間に狭装し、他方の歯車に前記複数の環状仕切プレートの突出した先端部を狭入する複数の溝が凹設されているので、細砕化された固形体が歯車で圧砕されると同時に、例えば、糸状に連なった固形体などを環状仕切プレートによって更に切断することもできる。
【００２８】
７．本願発明の請求項７の発明によれば、
請求項６の効果に加えて、前記環状仕切プレートが、その環状の全円周上又は複数の切り込みで分割された円周上に鋭利な刃が形成されているので、細砕化された固形体が歯車で圧砕されると同時に、例えば、糸状に連なった固形体などを鋭利な刃が形成された環状仕切プレートによって更に確実に切断することもできる。
【００２９】
８．本願発明の請求項８の発明によれば、
請求項１〜７の効果に加えて、前記圧砕室が、その下方部に破砕されたくらげの排出量を制御する排出量制御手段を備えているので、前記第２の破砕室の複数組の破砕刃の回転数の制御と、前記排出量制御手段の排出量制御によって、破砕すべきくらげの第２の破砕室及び圧砕室中に滞留する量と破砕時間が制御できるため、その結果、所望の大きさに破砕・圧砕処理でき、かつ効率的な破砕・圧砕処理時間を容易に設定できる。
【００３０】
９．本願発明の請求項９の発明によれば、
請求項１〜８の効果に加えて、前記第１の破砕室がくらげを２〜４ｃｍに粗く破砕し、次いで第２の破砕室がくらげを１〜２ｍｍに細く破砕し、圧砕室がくらげを更に脱水すると同時に圧砕しているので、９５〜９８％が水分であるくらげを３段階で破砕・圧砕処理することによって、そのほとんどを液状化することができ、また、破砕・圧砕処理後の固形体を従来より極めて少なくすることが可能であり、したがって、くらげ破砕装置の一体化と小型化ができ、かつ埋め立て、又は焼却処理等のための運搬・処理等の経費削減ができる。
【００３１】
１０．本願発明の請求項１０の発明によれば、
請求項１〜９の効果に加えて、前記くらげ破砕装置が、前記圧砕室下方部に、圧砕により得られるくらげの細片固形体を機外側方に配設された固形体収容手段まで搬送するベルトコンベアと、該ベルトコンベアと前記固形体収容手段間に前記固形体を圧搾するための弾性を有する１又は相対する２つのゴムローラと、前記圧砕室から流下した液状体を収容する液状体収容手段とを備えているので、前記くらげ破砕装置と一体化することで、小型化と効率のよいくらげ破砕処理装置を構成することができる。
【００３２】
前記第１、第２の破砕室及び圧砕室で破砕・圧砕することによって、そのほとんどが液状化されるが、液状体に被包されている僅かに残った固形体はベルトコンベアで搬送され、前記固形体を収容する固形体収容手段の直前で前記弾性を有する１又は相対する２つのゴムローラによって押しつぶされるようにして通過するため固形体は圧搾され、ほぼ完全に水分が除去された固形体となるので、廃棄処分量が激減し、埋め立て、又は焼却処理等のための運搬・処理等の廃棄処分費等の経費削減ができる。
【００３３】
したがって、前記第１、第２の破砕室及び圧砕室で破砕・圧砕された、液状体に被包されている細砕片を脱水処理装置にかける必要がないため、くらげ破砕処理装置の小型化と、初期設備投資の削減ができる。
【００３４】
また、回収された固形体は、ほぼ完全に水分が除去されて塩分も少なくなっているため、植物栽培用肥料や、養殖魚等の餌として役立てることもできる。
【００３５】
更に、前記圧砕室から流下した液状体はベルトコンベアを透過して液状体収容手段に収容され、更に前記ゴムローラの圧搾時に生じた液状体も全て液状体収容手段に収容されるので、そのまま汚水処理業者へ引き渡すか、活性炭等で濾過処理すれば下水道等に放流することもできる。
【００３６】
１１．本願発明の請求項１１の発明によれば、
前記請求項１０の効果に加えて、前記ゴムローラが、その弾性を有する１又は相対する２つのゴムローラの回転速度を制御できるゴムローラ駆動手段と、ゴムローラの軸間距離を制御できる軸間距離制御手段とを備えているので、圧砕室で圧砕され細砕化されたくらげの大きさと、前記圧砕室の下方部に配設された排出量制御手段の排出量に連動してゴムローラの回転速度を制御し、かつゴムローラの軸間距離を微調整して液状体に被包されている僅かに残った固形体を圧搾する圧搾圧を制御することにより、効率的な圧搾速度と圧搾量を制御できる。
【００３７】
１２．本願発明の請求項１２の発明によれば、
請求項１０及び１１の効果に加えて、前記ゴムローラの外周面に近接して、該ゴムローラに付着した前記固形体を剥離するスクレーパーを配設しているので、常にゴムローラ表面を清浄状態に維持できる。
【００３８】
１３．本願発明の請求項１３の発明によれば、
請求項１０〜１２の効果に加えて、前記ベルトコンベアが、その網目状透過孔を有するステンレススチール製ベルトコンベアであるため、前記圧砕室から流下した液状体はベルトコンベアを透過して液状体収容手段に収容でき、かつ塩分を含んだくらげの細砕片を搬送しても錆びることなく長期間運転が可能となる。
【００３９】
１４．本願発明の請求項１４の発明によれば、
請求項１３の効果に加えて、前記ベルトコンベアが、大きさ２ｍｍ以上の前記細片固形体を不通過とする網目状透過孔を備えているので、前記圧砕室から流下した液状体、及びほとんど液状体と同様な状態の２ｍｍ以下の細砕片は、ほとんどベルトコンベアを透過して液状体収容手段に収容されるので、そのまま汚水処理業者へ引き渡すか、活性炭等で濾過処理すれば下水道等に放流することもできる。
【発明を実施するための最良の形態】
【００４０】
本願発明を実施するための最良の形態を実施例図に基づいて詳細に説明する。
図１（ａ）は本願発明のくらげ破砕処理装置の実施例正面断面図、図１（ｂ）は同発明のくらげ破砕処理装置の実施例Ａ−Ａ’断面図、図２は同発明のくらげ破砕装置の平行軸歯車対の軸間距離制御手段の実施例説明図、図３（ａ）、（ｂ）は同発明のくらげ破砕装置の平行軸歯車対を備えた圧砕室の軸間距離制御の実施例説明図、図４は同発明のくらげ破砕装置の平行軸歯車対の狭装された環状仕切プレートと凹設された溝の実施例説明図、図５は同発明の平行軸歯車対の狭装された環状仕切プレートと凹設された溝の実施例Ｂ−Ｂ’断面図、図６は同発明の歯車ポンプ形式排出量制御手段の実施例断面図、である。
図において、１はくらげ破砕処理装置、１’はくらげ破砕装置、２はくらげ、３はホッパ、４は第１の破砕室、５は第２の破砕室、６は圧砕室、７、８は破砕刃、７’、８’は破砕刃装着軸、９は歯車、１０はベルトコンベア、１１はベルト車、１２は液状体収容手段、１３は液状体、１４、１５は歯車ポンプ形式の排出量制御手段、１６はローラ、１７はゴムローラ、１８、１９，２０はスクレーパー、２１は固形体収容手段、２２は固形体、２３は下部液状体収容手段、２４は飛散防止板、２５、２６は排水口、２７はピッチ円、２８は歯先円、２９は歯車駆動手段、３０、３２は歯車軸取付板、３１はボルト、３３は軸間距離制御手段、３３’は軸間制御ねじ、３４は環状仕切プレート、３５は溝、３６は全歯タケ長、３７は側板、３８はポンプ室、３９はポンプ歯車、４０は歯間空隙、４１は排出口である。
【００４１】
図１において、くらげ破砕処理装置１は、くらげ２を貯留するホッパ３と、同ホッパ３内のくらげ２の流量制限を兼ねた飛散防止板２４の下方に配設されたくらげ２を粗砕する複数組の破砕刃７を破砕刃装着軸７’に装着した第１の破砕室４と、該第１の破砕室４の下方部に配設され、破砕されたくらげの排出量を制御する排出量制御手段１４と、前記第１の破砕室４の下方部に配設され、該第１の破砕室４で粗砕されたくらげ２を更に細砕する複数組の破砕刃８を破砕刃装着軸８’に装着した第２の破砕室５と、該第２の破砕室５の下方部に配設され、細砕されたくらげ２を脱水すると同時に更に圧砕して細砕化する平行軸歯車対９、９を備えた圧砕室６と、該圧砕室６の下方部に配設され破砕・圧砕されたくらげの排出量を制御する排出量制御手段１５とからなり、かつ前記ホッパ３と第１の破砕室４と第２の破砕室５と圧砕室６及び排出量制御手段１４、１５が連通状態に配設されてなるくらげ破砕装置１’と、前記圧砕室６下方部に、圧砕により得られるくらげ２の細片破砕物を機外側方に配設された固形体収容手段２１まで搬送するベルトコンベア１０と、該ベルトコンベア１０と前記固形体収容手段２１間に前記細片破砕物を圧搾するための弾性を有する相対する２つのゴムローラ１７と、前記圧砕室６から流下した液状体１３を収容する液状体収容手段１２と、ベルトコンベア１０とゴムローラ１７間から流下した液状体１３を収容する下部液状体収容手段２３と、で構成されている。
【００４２】
前記ホッパ３に投入されたくらげ２は、同ホッパ３内のくらげ２の流量制限を兼ねた飛散防止板２４に遮られながら、その重量によってホッパ３の底部傾斜面に沿ってホッパ３の下端に配設された第１の破砕室４へと導出される。
【００４３】
前記第１の破砕室４は、図示しないモーター等の駆動手段によって駆動される破砕刃装着軸７’に、複数枚（図では４枚）の鋭利な刃を備えた風車羽状の破砕刃７を突設して、適度な間隔を置いて複数組装着されている。
【００４４】
前記破砕刃装着軸７’は、約６００ｒｐｍで回転し、装着された複数組の破砕刃７によってくらげ２を２〜４ｃｍ角程度の大きさに粗砕する。
【００４５】
前記第１の破砕室４の下方部に、粗砕されたくらげ２の下方へ排出する排出量を制御できる歯車ポンプ形式の排出量制御手段１４を備えている。前記歯車ポンプ形式の排出量制御手段１４は、図６に示すように、ポンプ室３８内に配設されたポンプ歯車３９が図示しない駆動手段で回転制御され歯間空隙４０が上部にくると、ホッパ３の下端に配設された前記第１の破砕室４で粗砕処理されたくらげ２がポンプ歯車３９の歯間空隙４０に供給される。該歯間空隙４０に収容されたくらげ２はポンプ歯車３９がさらに回転しポンプ室３８の最下部に達すると排出口４１から排出され、粗砕されたくらげ２は排出口４１下部の第２の破砕室５に供給される。前記第１の破砕室４の複数組で構成する風車羽状の破砕刃８の回転数の制御処理量を考慮し、前記歯車ポンプ形式の排出量制御手段１４の回転速度制御によって排出量の制御ができるので、破砕すべきくらげ２の第１の破砕室４中に滞留する量と破砕時間が制御できるため、その結果、所望の大きさに破砕処理でき、かつ効率的な破砕処理時間を容易に設定できる。
本実施例の排出量制御手段は上記方式に限定されることなく、例えば、摺動板の開閉制御による排出量制御手段でもよい。
【００４６】
前記第１の破砕室４によって２〜４ｃｍ角程度の大きさに粗砕されたくらげ２は排出量制御手段１４を経て更に下方へ排出し、前記第１の破砕室４と同様に、図示しないモーター等の駆動手段によって約６００ｒｐｍで回転する第２の破砕室５の風車羽状の破砕刃８によって更に１〜２ｍｍ程度、又はそれ以下に細砕される。破砕処理することによって、組織が破れてそのほとんどを液状化することができる。
【００４７】
前記第２の破砕室５の破砕刃８の形状は、前記第１の破砕室４の破砕刃７と同様であり、図１（ｂ）に示すように、複数組が装着された風車羽状の破砕刃８の取付間隔は、粗砕されたくらげ２を１〜２ｍｍ程度、又はそれ以下に更に細砕するため、前記第１の破砕室４に装着された破砕刃７の１／２〜１／４の取付間隔で装着されることが好ましい。
【００４８】
前記第２の破砕室５によって１〜２ｍｍ程度、又はそれ以下の大きさに細砕されたくらげ２は更に下方へ排出し、前記第２の破砕室５の下方部に配設され細砕されたくらげ２を脱水すると同時に更に圧砕して細砕化し、かつ前記細砕され流下するくらげ２に直交する歯幅が長尺な平行軸歯車対９、９で挟み込みながら下方へ導出できる、例えば、相対する平歯車型の２つの歯車９を備えた圧砕室６へ供給される。
【００４９】
図２において、前記圧砕室６の２つの歯車９は、前記平行軸歯車対９、９の一方の歯車軸にはモータ等で駆動する歯車駆動手段２９が装着され、歯車軸取付板３０の４個のボルト３１で圧砕室６の側板３７に固定されている。
【００５０】
また、他方の歯車９の軸は歯車軸取付板３２に装着され、４カ所に貫穿された長孔に沿って歯車軸取付板３２を図に向かって左右に移動することで平行軸歯車対９、９の軸間距離を制御することができる。歯車軸間距離制御は、例えば、圧砕室６の側板３７に固定された軸間距離制御手段３３の軸間制御ねじ３３’の出入操作によって制御し、その後に軸間制御ねじ３３’をナット等で固定し、更に歯車軸取付板３２は４個のボルト３１で圧砕室６の側板３７に固定される。    
【００５１】
前記軸間距離制御手段３３は、前記第２の破砕室５によって細砕されたくらげの大きさと、第１、第２の破砕室４、５の破砕処理量に合わせて、また、圧砕室６による脱水・圧砕処理量を考慮し、脱水・圧砕処理が効率よくできる軸間距離に設定することが好ましい。
【００５２】
図３において、前記軸間距離制御手段３３の軸間距離制御量は、例えば、図３（ａ）のように、歯車９同士のピッチ円２７が一致する軸間距離から、図３（ｂ）のように、一方の歯車９のピッチ円２７と、他方の歯車９の歯先円２８が一致する軸間距離まで、その軸間距離を微調整できることが好ましい。
【００５３】
前記歯車９の形式は、平歯車に限定されることなく、回転がなめらかで、かみ合いが連続的になるハスバ歯車、又はヤマバ歯車であってもよい。また、歯の形状はこれに限定されることなく台形歯車等、脱水・圧砕に適した形状であることが好ましい。
【００５４】
また、図４及び図５において、前記圧砕室６の前記平行軸歯車対９、９は、その一方の歯車９に、該歯車９の全歯タケ長３６の高さ分以下に相当する長さが、歯先円２８の半径長分に加算された半径で突出した複数の環状仕切プレート３４を分割された歯車９間に狭装し、他方の歯車９には、前記環状仕切プレート３４の突出した先端部を狭入する複数の溝３５が凹設されているので、細砕化された固形体２２が歯車９で圧砕されると同時に、例えば、糸状に連なった固形体などを環状仕切プレート３４によって更に切断することもできる。
【００５５】
更に、前記環状仕切プレート３４に、その環状の全円周上又は図示しない複数のＶ字又はＵ字状切り込みで分割された円周上に鋭利な刃を形成することも好ましい。
【００５６】
上記説明において、前記平行軸歯車対９、９の一方の歯車軸に歯車駆動手段２９を装着するようにしたが、両方の歯車軸にそれぞれ歯車駆動手段２９を装着するようにしてもよい。
【００５７】
図１において、くらげ破砕処理装置１は、前記圧砕室６の下方部に、細砕・圧砕されたくらげ２のベルトコンベア１０へ排出する排出量を制御できる歯車ポンプ形式の排出量制御手段１５を備えている。前記歯車ポンプ形式の排出量制御手段１５は、図６に示すように、ポンプ室３８内に配設されたポンプ歯車３９が図示しない駆動手段で回転制御されると、前記圧砕室６で脱水・圧砕処理されたくらげ２がポンプ室３８上部からポンプ歯車３９の歯間空隙４０に供給される。該歯間空隙４０に収容されたくらげ２はポンプ歯車３９がさらに回転しポンプ室３８の最下部に達すると排出口４１から排出され、排出口４１下部のくらげ２の細砕片を搬送するベルトコンベア１０上に供給される。
前記第２の破砕室５の複数組で構成する風車羽状の破砕刃８の回転数の制御と、前記圧砕室６の脱水・圧砕処理量を考慮し、前記歯車ポンプ形式の排出量制御手段１５の回転速度制御によって排出量の制御ができるので、破砕すべきくらげ２の第２の破砕室５及び圧砕室６中に滞留する量と、破砕時間が制御できるため、その結果、所望の大きさに破砕・圧砕処理でき、かつ効率的な破砕・圧砕処理時間を容易に設定できる。
本実施例の排出量制御手段は上記方式に限定されることなく、例えば、摺動板の開閉制御による排出量制御手段でもよい。
【００５８】
前記くらげ破砕処理装置１は、図示しない駆動手段によってベルト車１１を矢印方向へ回転させて細砕片をゴムローラ１７まで搬送するベルトコンベア１０と、該ベルトコンベア１０と前記固形体収容手段２１間に前記細砕片を圧搾するための弾性を有する相対する２つのゴムローラ１７と、該ゴムローラ１７の回転速度を制御できる図示しないゴムローラ駆動手段と、ゴムローラの軸間距離を制御できる図示しない軸間距離制御手段と、前記圧砕室６から流下した液状体１３を収容する液状体収容手段１２と、前記相対する２つのゴムローラ１７の圧搾によって更に細砕片から脱水された液状体１３を収容する下部液状体収容手段２３を備えて、前記くらげ破砕装置１’と一体化したくらげ破砕処理装置１を構成している。
【００５９】
前記ベルトコンベア１０は、大きさ２ｍｍ以上の前記細砕片を不通過とする網目状透過孔を備えたステンレススチール製ベルトコンベアであるため、前記圧砕室６から流下した液状体１３はベルトコンベア１０を透過して液状体収容手段１２に収容でき、適宜排水口２５を介して外部に排出される。また、ベルトに付着した細砕片はスクレーパー２０で掻き落とされる。
【００６０】
また、２ｍｍ以上の前記細砕片はベルトコンベア１０によって搬送され、金属又は樹脂製ローラ１６の表面に巻着された弾性（硬度２０〜３０程度）を有する前記相対する２つのゴムローラ１７によって細砕片周囲を被包している液状体１３は圧搾されて、下側ゴムローラ１７とベルトコンベア１０のベルト間の隙間から流下して下部液状体収容手段２３に収容でき、適宜排水口２６を介して外部に排出される。
【００６１】
更に、前記ゴムローラ１７が、その弾性を有する１又は相対する２つのゴムローラ１７の回転速度を制御できる図示しないゴムローラ駆動手段と、ゴムローラ１７の軸間距離を制御できる図示しない軸間距離制御手段と、を備えているので、圧砕室６で圧砕され細砕化されたくらげ２の大きさと、その排出量を制御する排出量制御手段１５の排出量に連動してゴムローラ１７の回転速度を制御し、かつゴムローラ１７の軸間距離を微調整して液状体１３に被包されている僅かに残った固形体２２を圧搾する圧搾圧を制御することにより、効率的な圧搾速度と圧搾量を制御できる。
【００６２】
一方、相対する２つのゴムローラ１７によって圧搾され、液状体１３が除去された固形体２２は固形体収容手段２１に収容され、更にゴムローラ１７に付着した固形体２２は、２つのゴムローラ１７表面からそれぞれのスクレーパー１８、１９によって剥離され、同様に前記固形体収容手段２１に収容される。
【００６３】
前記排水口２５及び２６から排出された液状体１３は汚水処理業者によって収集され適宜処分される。また、回収された固形体２２は塩分も少なくなっているため、植物栽培用肥料や、養殖魚等の餌として役立てることもできる。
【００６４】
前記ゴムローラ１７による圧搾は、相対する２つのゴムローラ１７によって行ったが、これに限定されることなく、一方を金属又は樹脂製ローラとし、これに１個のゴムローラ１７を押し当て圧搾する方法でもよい。
【産業上の利用可能性】
【００６５】
くらげを、破砕刃による第１の破砕室で粗砕し、第２の破砕室で細砕し、更に平行軸歯車対によって脱水すると同時に圧砕する圧砕室による３段階の破砕・圧砕手段と、第１の破砕室下方に破砕されたくらげの排出量を制御する排出量制御手段と、同様に、圧砕室下方に備えた排出量制御手段を組み合わせたことにより、破砕すべきくらげの第１の破砕室中に滞留する量と破砕時間を制御し、また、第２の破砕室及び圧砕室中に滞留する量と破砕時間が制御でき、更に、前記固形体を圧搾するための弾性を有する１又は相対する２つのゴムローラの処理能力に応じて前記排出量制御手段によって排出量を制御できるため、その結果、所望の大きさに破砕・圧砕処理でき、かつ効率的な破砕・圧砕処理時間を容易に設定できるため、９５〜９８％が水分であるくらげの場合は、そのほとんどを液状化することができ、また、破砕・圧砕後の固形体を従来より極めて少なくすることが可能であり、したがって、くらげ破砕処理装置の小型化ができ、かつ埋め立て、又は焼却処理等のための運搬・処理等の経費削減ができる。
【図面の簡単な説明】
【００６６】
【図１】（ａ）本願発明のくらげ破砕処理装置の実施例正面断面図、（ｂ）同発明のくらげ破砕処理装置の実施例Ａ−Ａ’断面図
【図２】同発明のくらげ破砕装置の平行軸歯車対の軸間距離制御手段の実施例説明図
【図３】同発明のくらげ破砕装置の平行軸歯車対を備えた圧砕室の軸間距離制御の実施例説明図
【図４】同発明のくらげ破砕装置の平行軸歯車対の狭装された環状仕切プレートと凹設された溝の実施例説明図
【図５】同発明の平行軸歯車対の狭装された環状仕切プレートと凹設された溝の実施例Ｂ−Ｂ’断面図
【図６】同発明の歯車ポンプ形式排出量制御手段の実施例断面図
【符号の説明】
【００６７】
１：くらげ破砕処理装置
１’：くらげ破砕装置
２：くらげ
３：ホッパ
４：第１の破砕室
５：第２の破砕室
６：圧砕室
７、８：破砕刃
７’、８’：破砕刃装着軸
９：歯車
１０：ベルトコンベア
１１：ベルト車
１２：液状体収容手段
１３：液状体
１４、１５：歯車ポンプ形式の排出量制御手段
１６：ローラ
１７：ゴムローラ
１８、１９，２０：スクレーパー
２１：固形体収容手段
２２：固形体
２３：下部液状体収容手段
２４：飛散防止板
２５、２６：排水口
２７：ピッチ円
２８：歯先円
２９：歯車駆動手段
３０、３２：歯車軸取付板
３１：ボルト
３３：軸間距離制御手段
３３’：軸間制御ねじ
３４：環状仕切プレート
３５：溝
３６：全歯タケ長
３７：側板
３８：ポンプ室
３９：ポンプ歯車
４０：歯間空隙
４１：排出口
【図１】
2007307524.tif 000003
【図２】
2007307524.tif 000004
【図３】
2007307524.tif 000005
【図４】
2007307524.tif 000006
【図５】
2007307524.tif 000007
【図６】
2007307524.tif 000008